(57)【要約】【課題】  煙捕獲部を上下に高さ調整して調理によって接近具合を可変する排気装置において、煙捕獲部を上下に高さ調整しての如何なる調理時でも照度に変化がない、常に最適な照度で調理できる排気装置を提供する。【解決手段】  照明２を煙捕獲部１から分離してその煙捕獲部１以外の部分で支持させ、且つ該照明２を所定高さに固定的に位置させたまま煙捕獲部１を、上下高さ位置調整可能に構成して、煙捕獲部１を調理に合わせた位置への高さ調整に関係なく、照明２を所定の高さに固定し、照度を一定にする。【選択図】図１
2005180763.tif 000002
【特許請求の範囲】
【請求項１】
照明を設けた煙捕獲部を送風手段に連絡し、該煙捕獲部を上下高さ調整可能とした排気装置において、照明を煙捕獲部から分離して該煙捕獲部以外の部分で支持させ、且つ該照明を所定高さに固定的に位置させたまま煙捕獲部を、上下高さ位置調整可能に構成していることを特徴とする排気装置。
【請求項２】
前記煙捕獲部が重量つりあい手段によって手動で上下に高さ調整されることを特徴とする請求項１記載の排気装置。
【請求項３】
前記煙捕獲部が電動で上下に高さ調整されることを特徴とする請求項１記載の排気装置。
【請求項４】
前記煙捕獲部が遠隔操作によって上下の高さ調整が制御されるものであることを特徴とする請求項１記載の排気装置。
【発明の詳細な説明】
【技術分野】
【０００１】
本発明は排気装置、更に詳しくは煙捕獲部を上下高さ調整可能にすることによって、調理で発生する油煙の量に応じて煙捕獲部の位置を可変できる排気装置に関するものである。
【背景技術】
【０００２】
従来、この種の排気装置として、送風機支持部に昇降フードを上下スライド可能に係合させ、該昇降フードを駆動機構で上下動させたもの（前者）や、排気ダクトに伸縮自在な連通パイプを介して、浄化装置を内蔵した排ガス吸収体を接続し、排ガス吸収体を天井裏の昇降装置に連結したもの（後者）が知られている（例えば、特許文献１、特許文献２等参照。）。
【０００３】
ところで、両先行技術共に、昇降フード（煙捕獲部）、排ガス吸収体（煙捕獲部）が上下高さ位置調整可能であるため、使用者が任意の高さ位置に調整することができる。
このようにすることによって、通常の調理、例えば煙等を大量に発生させない簡単な煮物や炒め物を行なう時には、その昇降フード、排ガス吸収体を上方に位置させておいて、調理の邪魔にならないようにし、中華料理等の大量に煙等が発生する調理時では昇降フード、排ガス吸収体を下方に下降させて、効率良くその煙等を捕獲することができる。
両先行技術共に、昇降フード、排ガス吸収体に照明が設けられているので、昇降フード、排ガス吸収体と一緒に移動して、昇降フード、排ガス吸収体の上下動に応じて手元の照度が変わる。
一般的に照明の照度は、調理者の手元を照らす際に最適な照度が得られるように設計されているが、昇降フード、排ガス吸収体と一緒に照明が移動するため、照度の過不足が発生する。
【特許文献１】特許登録第２５００１８２号公報
【特許文献２】特開２００１−５６１２８号公報
【発明の開示】
【発明が解決しようとする課題】
【０００４】
本発明は上記従来事情に鑑みてなされたもので、その目的とする処は、煙捕獲部を上下に高さ調整して調理によって接近具合を可変する排気装置において、煙捕獲部を上下に高さ調整しての如何なる調理の時でも照度に変化がない、常に最適な照度で調理できる排気装置を提供することにある。
【課題を解決するための手段】
【０００５】
前記課題を解決するために講じた技術的手段は、煙捕獲部に照明を設け、該煙捕獲部を送風手段に連絡した排気装置において、照明を煙捕獲部から分離して該煙捕獲部以外の部分で支持させ、且つ前記照明を所定高さに固定的に位置させたまま煙捕獲部を、上下高さ位置調整可能に構成していることを特徴とする排気装置である（請求項１）。
【０００６】
また、前記煙捕獲部が重量つりあい手段によって手動で上下に高さ調整されるようにしていると好適である（請求項２）。そして、電動で上下に高さ調整されたり（請求項３）、煙捕獲部が遠隔操作によって上下の高さ調整が制御されるものである場合も、好適なものである（請求項４）。
【０００７】
以上の手段によれば、煙捕獲部を調理に合わせた位置に高さ調整したにも関わらず、照明を所定の高さに固定して、照度を一定にする。
また、調理に応じた煙捕獲部の高さ位置の調整を軽い力での引き下げ、押上げ，スイッチの操作、更には排気装置自体に全く手を触れずに行なわせる。
【発明の効果】
【０００８】
本発明は以上のように構成したから、下記の利点がある。
（請求項１）煙捕獲部を上下に高さ調整して調理によって接近具合を可変させる排気装置において、煙捕獲部を上下に高さ調整して行う如何なる調理時でも照度に変化がなく、常時最適な照度で調理することができる。
（請求項２）煙捕獲部を高さ調整するに際して、軽い力で煙捕獲部を引き下げたり、押上げるだけで良く、高齢者、非健常者でも煙捕獲部を簡単に上下高さ調整することができる。
（請求項３、４）煙捕獲部の上下高さ調整を、スイッチによる制御や遠隔操作で可能となり、より楽である。
【発明を実施するための最良の形態】
【０００９】
次に本発明排気装置の実施の形態を図１〜図５に示し、図１及び図２は、その第１の実施の形態を、図３は、同第２の実施の形態を、図４及び図５は同第３の実施の形態を各々示している。
【実施例１】
【００１０】
まず、図１及び図２に示す第１の実施の形態について説明する。符号Ａはその排気装置である。
この排気装置Ａは、煙捕獲部１、照明２、煙捕獲部１に連絡する送風手段３を備えている。
【００１１】
送風手段３は、図１、図２に示すように下面を開放した内部中空状の縦長箱状体からなる送風機支持部１３と、その送風機支持部１３で支持される送風機２３と、排気ダクト３３とを備えている。
【００１２】
前記送風機支持部１３は、建築躯体であるキッチンの側壁Ｂに取り付けてなり、背面部１３ａを前面部１３ｂや側面部１３ｃよりも若干長く延設し、内部に送風機２３であるシロッコファンを収容している。
また、この送風機支持部１３の前面部１３ｂは、その上方を幕板兼用にしている。
【００１３】
送風機２３は、図１に示すようにボリュート形状のファンケーシング２３ａに形成されている吐出口２３ｂを送風機支持部１３の上面部から突出させた状態で同上面部に吊持状に固定し、前面に開口した吸引口２３ｃから吸気して、吐出口２３ｂに配管接続する排気ダクト３３を介して排気するようになっている。
【００１４】
前記煙捕獲部１は、上下両端を開放した矩形筒状部１１と、その矩形筒状部１１に一体に連設したフード部２１とを備えている。
【００１５】
矩形筒状部１１は、前記送風機支持部１３に遊嵌する程度の大きさに形成されている。
【００１６】
フード部２１は、前記矩形筒状部１１の下端に一体に連設されており、矩形筒状部１１の前面部１３ｂ下端から前方斜め下向きに設けた傾斜面２１ａの先端から前垂面２１ｂを矩形筒状部１１の背面部１１ａと同程度の高さまで延設し、矩形筒状部１１の側面部１１ｂから下方に延設する側面部２１ｃと、同矩形筒状部１１の背面部１１ａから下方に延設する背面部２１ｄと、前垂面２１ｂとで周囲を囲繞して油煙の捕獲空間Ｅを形成している。
【００１７】
照明２は、図１、図２に示すように送風機支持部１３の上面部において前記送風機２３を左右に挟む対称位置を固定部分として支持パイプ１２、１２を吊下し、該支持パイプ１２、１２を送風機支持部１３の空間内及び矩形筒状部１１の空間内を通して配置し、該支持パイプ１２、１２の下端に灯体２２、２２を取付けてなり、煙捕獲部１の上下高さ位置の変更に対して、揺動不能に構成されている。
灯体２２は、この実施の形態では下面を透過部２２ｂとする縦長円筒状の外筒２２ａ内に光源２２ｃを収容したタイプを示している。
尚、照明２の支持パイプ１２は、キッチン天井Ｃ等を固定部分として吊持させても良いものである。
【００１８】
前記揺動不能に構成する手段４は、煙捕獲部１の背面部を一構成部材として内部中空な灯体収容部１４を形成し、該灯体収容部１４において灯体２２と対応する下面部に灯体２２よりも若干大形な開放部２４を設けると共に、その灯体収容部１４の上面部に支持パイプ１２を摺接可能にガイドするガイド部３４を設けて、構成されている。
【００１９】
前記ガイド部３４は、軸受けである。
【００２０】
前記煙捕獲部１は、送風機支持部１３に上下高さ位置調整可能に取り付けられている。
【００２１】
その高さ調整手段５は、本実施の形態では、ボールネジ機構を使用した場合を示している。
【００２２】
ボールネジ機構５は、矩形筒状部１１内面に回転不能に支持されているナット部１５に、送風機支持部１３内に縦方向に軸架されているネジ棒２５を螺嵌し、そのネジ棒２５を駆動源（正逆回転モータ）３５で回転動可能としたものであり、前記前垂部２１ｂに配設した操作スイッチ６のタッチ操作や、リモコン装置を使用した遠隔操作による正逆回転で、矩形筒状部１１に対する送風機支持部１３のガイド作用で煙捕獲部１が上下高さ位置を調整するようになっている。
【００２３】
符号７はグリスフィルタである。
【００２４】
以上のように構成されている第１の実施の形態の排気装置Ａは、前記のように操作スイッチ６のタッチ操作やリモコン操作でボールネジ機構５が作動すると、ネジ棒２５に螺嵌するナット部１５と共に煙捕獲部１が上下に移動して、煙捕獲部１を高さ調整する。
照明２は、支持パイプ１２にガイド部３４が摺接してその高さ調整を阻害したり、揺動することなく、所定高さ位置に保持される。
図１は、煙捕獲部１を下降させた状態、図２は、煙捕獲部１を上昇させた状態であり、調理が油煙の発生が少ない簡単な煮物、炒め物等の場合には、圧迫感を与える煙捕獲部１を出きるだけ遠ざける目的をもって図２のように上昇させ、中華料理等のように油煙が多量に発生する場合には、油煙の捕獲効率を向上させる目的で図１のように煙捕獲部１を下降させる。
【実施例２】
【００２５】
図３に示す第２の実施の形態は、前記高さ調整手段の変形例である。
この実施の形態は、煙捕獲部１を重量つりあい手段８で均衡させ、手動によって上下に高さ調整にしたものである。
【００２６】
この場合には、図示するように前記送風機支持部１３の上面部に滑車４８を設け、その滑車４８を介して一端を煙捕獲部１の矩形筒状体１１の上端に止着した吊り紐１８の他端に重量つりあい手段としてバランサー２８を止着して、そのバランサー２８は、煙捕獲部の重量とその重量を均衡させてある。
【００２７】
前記バランサー２８は、送風機支持部１３の背面部１３ａとキッチンの側壁Ｂとの間に確保した隙間Ｆを利用して配置されており、フード部２１の前垂面２１ｂ等に設けたて手かけ部３８を掴んで手動で煙捕獲部１を任意な高さに高さ調整できるようになっている。
尚、重量つりあい手段８として、定荷重バネ材を使用しても良いものである。
【実施例３】
【００２８】
更に、図４、図５に示す第３の実施の形態を説明すると、この実施の形態は、ダイニングやリビング等で主に使用する排気装置、即ちダイニングテーブルやリビングテーブル上で使用する排気装置を示している。
【００２９】
この排気装置Ａ１は、前記する第１，第２の実施の形態と同様に煙捕獲部１と、照明２と、送風手段３とを備えている。
【００３０】
煙捕獲部１は、図４、図５に示すように、２枚の横長矩形状の金属製，合成樹脂製，ガラス製等の平行板３１、３１と、送気用の立上筒４１とからなっている。
前記２枚の平行板３１、３１は、上位平行板（後述では符号３１ａを付して説明する）３１の中央部にグリスフィルタ７で被蓋される吸気口５１を開口し、該吸気口５１を下方から隠すようにその上位平行板３１ａよりも幅狭に形成されている下位平行板（後述では符号３１ｂを付して説明する）３１を、上位平行板３１ａの幅方向中央に位置させた状態で両者間に設けたスペーサ兼用の連結具６１で両板を連結して、形成されている。
【００３１】
前記上位平行板３１ａ、下位平行板３１ｂには、図４、図５に示すように、両側近傍の同一位置に、後述する灯体２２（照明）の通し口３１ｃが開口され、その通し口３１ｃ回りの部分を前記スペーサ兼用の連結具６１…で連結している。
【００３２】
前記立上筒４１は、前記吸気口５１を、扁平スペース１０を介して覆う取付座４１ａを下端に備えている。
【００３３】
前記する送風手段３は、図４に示すように、建築躯体の天井Ｄ裏に設置した送風機２３に排気ダクト３３を配管接続すると共に建築躯体の天井Ｄへの固定座４３ａを有する垂設筒４３を、送風機２３の吸引口に連通して室内側から天井Ｄに固定して形成されており、前記垂設筒４３に前記立上筒４１をスライド可能に遊嵌合し、該立上筒４１と垂設筒４３とに亘って設けられている高さ調整手段５で、煙捕獲部１が高さ調整可能になっている。
【００３４】
高さ調整手段５は、前記する第１の実施の形態と同様にボールネジ機構が使用されている。
【００３５】
ボールネジ機構５は、前記立上筒４１内に回転不能に支持されているナット部１５に、前記垂設筒４３内に縦方向に軸架されているネジ棒２５を螺嵌し、そのネジ棒２５を駆動源（正逆回転モータ）３５で回転動可能としたものであり、室内の任意箇所に配設した操作スイッチのタッチ操作や、リモコン装置を使用した遠隔操作による正逆回転で、立上筒４１に対する垂設筒４３のガイド作用で煙捕獲部１が上下高さ位置を調整するようになっている。
【００３６】
前記照明２は、前記固定座４３ａから吊下してなり、先端の灯体２２を前記する通し口３１ｃ内に配置している。
灯体２２は、この実施の形態でも下面を透過部２２ｂとする縦長円筒状の外筒２２ａ内に光源２２ｃを収容したタイプにしてある。
【００３７】
以上のように構成されている第１の実施の形態の排気装置Ａ１は、ダイニングテーブルやリビングテーブルの真上等に設置される。
そして、前記のように操作スイッチのタッチ操作やリモコン操作でボールネジ機構５を作動させ、前記第１の実施の形態と同様に使用される。
ポータブルコンロ、ホットプレート等の所謂簡易式の燃焼器具での調理で発生する油煙等は、２枚の平行板３１、３１間に確保されている吸込間隙Ｓに流速を速めて吸気され、油脂分をグリスフィルタ７で除去して浄化され、立上筒４１、垂設筒４３、送風機２３、排気ダクト３３を介して屋外に排気される。
そして、前記第１、第２の実施の形態と同様に、調理で発生する油煙の量によって、煙捕獲部の燃焼器具への接近具合を調整する。
尚、タバコの煙を排気する換気扇や、更には今日では周知化される送風機の弱運転の継続によって、隣室を換気する常時換気用の換気扇として使用することも任意なものである。
【００３８】
この実施の形態の特長は、煙捕獲部１として２枚の平行板３１、３１を用いて、その２枚の平行板３１、３１間を吸気間隙Ｓとした斬新な形態であり、グリスフィルタ７も下位平行板３１で隠されるため、排気装置でありながら照明２の一部として認識され、豪華製を付与して、ダイニングルーム、リビングルームの使用感を向上させることができる。
【００３９】
この第３の実施の形態において、重量つりあい手段によって手動で煙捕獲部を上下に高さ調整する変形例については詳述しないが、滑車、立上筒に一端を止着する吊り紐、その吊り紐の他端に止着するバランサー等で構成すること前記する第１の実施の形態と同様である。バランサーの重量は、煙捕獲部と均衡させること言うまでもないものである。
また、第１、第３の実施の形態の高さ調整手段は、ボールネジ機構である必要はなく、機械的、電気的に高さ調整できる機構であれば、如何なる構造のものでも良いものである。
【図面の簡単な説明】
【００４０】
【図１】第１の実施の形態の排気装置の側面断面図で、煙捕獲部を降下させている状態を示す。
【図２】同排気装置の側面断面図で、煙捕獲部を上昇させている状態を示す。
【図３】第２の実施の形態の排気装置の側面断面図で、煙捕獲部を降下させている状態を示し、上昇させている状態を二点鎖線で示す。
【図４】第３の実施の形態の排気装置の正面断面図で一部切欠し、煙捕獲部を降下させている状態を示し、上昇させている状態を二点鎖線で示す。
【図５】同排気装置の斜視図で、一部切欠して示す。
【符号の説明】
【００４１】
Ａ、Ａ１：排気装置                      ２：照明
１：煙捕獲部                      ３：送風手段
８：重量つりあい手段
【図１】
2005180763.tif 000003
【図２】
2005180763.tif 000004
【図３】
2005180763.tif 000005
【図４】
2005180763.tif 000006
【図５】
2005180763.tif 000007